(57)【特許請求の範囲】
【請求項１】
複数の照明回路と、
前記複数の照明回路を１つずつまたは任意に組み合わせて構成される複数のモニタ範囲を示すモニタ範囲テーブルと、
前記各照明回路の調光の比率と消費電力量との相関関係を示す調光特性テーブルと、
前記各照明回路の点滅および調光状態を収集する時期を設定するタイマ設定部と、
前記タイマ設定部に設定された時期に収集した前記各照明回路の点滅および調光の状態から、前記調光特性テーブルに基づいて各照明回路の実際の消費電力量を算出し、この各照明回路の実消費電力量から、前記モニタ範囲テーブルに基づいて各モニタ範囲の実消費電力量を演算する実消費電力演算部と、
前記タイマ設定部に設定された時期に収集した前記各照明回路の点滅および調光の状態から、調光状態にある各照明回路が点灯していると仮定した場合の仮の消費電力量を算出し、この各照明回路の仮想消費電力量から、前記モニタ範囲テーブルに基づいて各モニタ範囲の仮想消費電力量を演算する仮想消費電力演算部と、
前記実消費電力演算部で演算した前記各モニタ範囲の実消費電力量と、前記仮想消費電力演算部で演算した前記各モニタ範囲の仮想消費電力量とを表示する表示部と、
を備えていることを特徴とする照明制御システム。
【発明の詳細な説明】
【０００１】
【発明の属する技術分野】
本発明は、照明制御システムに関するものである。
【０００２】
【従来の技術】
一般に、オフィスビル、大型店舗、中型店舗など比較的照明の需要が大きな場所では、複数の照明回路と、照明制御装置とを、直接または照明主盤を介して通信ケーブルにより接続した照明制御システムが用いられている（特開２０００−１８８１８８号参照）。
【０００３】
【発明が解決しようとする課題】
しかしながら、従来の照明制御システムは、照明による消費電力量を、例えばフロア、共用部、店舗別など、部分的な範囲を単位として視覚的に表示する機能を有していなかった。そのため、照明による消費電力量を把握するには電力計による積算値しかなく、いつ・どこで・どれくらいの電力消費をしているのか把握する手段がなかった。その結果、人を介在して行う照明に関する省電力化活動に明確な根拠を示す値がないという問題があった。
【０００４】
また、従来の照明制御システムは、点灯および消灯による点滅制御と、多段階の照度調整による調光制御とを比較するうえで、両者の消費電力量の差を明確に示す値がないという問題があった。
【０００５】
本発明は、オフィスビル、大型店舗、中型店舗など比較的照明の需要が大きな場所において、例えばフロア、共用部、店舗別など、大局的または局所的な消費電力量のモニタ範囲を定義し、このモニタ範囲を単位として、照明による消費電力量を所定時に視覚的に表示（モニタ）することのできる照明制御システムを提供することを目的とする。
【０００６】
【課題を解決するための手段】
請求項１記載の照明制御システムは、複数の照明回路と、前記複数の照明回路を１つずつまたは任意に組み合わせて構成される複数のモニタ範囲を示すモニタ範囲テーブルと、前記各照明回路の調光の比率と消費電力量との相関関係を示す調光特性テーブルと、前記各照明回路の点滅および調光状態を収集する時期を設定するタイマ設定部と、前記タイマ設定部に設定された時期に収集した前記各照明回路の点滅および調光の状態から、前記調光特性テーブルに基づいて各照明回路の実際の消費電力量を算出し、この各照明回路の実消費電力量から、前記モニタ範囲テーブルに基づいて各モニタ範囲の実消費電力量を演算する実消費電力演算部と、前記タイマ設定部に設定された時期に収集した前記各照明回路の点滅および調光の状態から、調光状態にある各照明回路が点灯していると仮定した場合の仮の消費電力量を算出し、この各照明回路の仮想消費電力量から、前記モニタ範囲テーブルに基づいて各モニタ範囲の仮想消費電力量を演算する仮想消費電力演算部と、前記実消費電力演算部で演算した前記各モニタ範囲の実消費電力量と、前記仮想消費電力演算部で演算した前記各モニタ範囲の仮想消費電力量とを表示する表示部とを備えたものであり、各照明回路による実際の消費電力量と、調光状態にある各照明回路が点灯していると仮定した場合の仮の消費電力量との差が、モニタ範囲を単位として、所定時に視覚的に表示される。
【０００８】
【発明の実施の形態】
本発明の一実施の形態を、図面を参照して説明する。
図１は、本発明による照明制御システムの一実施の形態を示すブロック図であり、この照明制御システム１は、複数の照明回路Ｌ１〜Ｌｎと、照明制御装置１０とが、（ａ）に示すように照明主盤５を介して、または、（ｂ）に示すように直接、通信ケーブルにより接続して構成される。
【０００９】
図２に示すように、照明制御装置１０は、通信ケーブルとの通信部１１と、モニタ範囲テーブル１２と、調光特性テーブル１３と、タイマ設定部１４と、消費電力演算部１５と、表示部１６とを備えている。
【００１０】
モニタ範囲テーブル１２は、図３に示すように、複数の照明回路Ｌ１〜Ｌｎを１つずつまたは任意に組み合わせて構成される複数のモニタ範囲Ｍ１〜Ｍｍをテーブル化したものである。
【００１１】
調光特性テーブル１３は、図４に示すように、各照明回路Ｌ１〜Ｌｎの調光の比率（明るさ）と消費電力量との関係をテーブル化したものである。そのため、数種類のテーブルが用意される。
【００１２】
タイマ設定部１４は、各照明回路Ｌ１〜Ｌｎの点滅（点灯と消灯）および調光状態を収集する時期を設定するものである。
【００１３】
消費電力演算部１５は、まず、タイマ設定部１４に設定された時期に収集した各照明回路Ｌ１〜Ｌｎの点滅および調光の状態から、調光特性テーブル１３に基づいて各照明回路Ｌ１〜Ｌｎの消費電力量を算出する。このとき、調光特性テーブル１３には、図４に示すように、調光の比率（明るさ）が１０％きざみで用意されているため、消費電力演算部１５はこれを補完演算して、１％きざみで対応する消費電力量を算出する。つぎに、消費電力演算部１５は、この各照明回路Ｌ１〜Ｌｎの消費電力量から、モニタ範囲テーブル１２に基づいて各モニタ範囲Ｍ１〜Ｍｍの消費電力量を演算するものである。
【００１４】
表示部１６は、消費電力演算部１５で演算した各モニタ範囲Ｍ１〜Ｍｍの消費電力量を表示するものである。
【００１５】
上記のように構成された照明制御システム１は、各照明回路Ｌ１〜Ｌｎによる消費電力量が、モニタ範囲Ｍ１〜Ｍｍを単位として、タイマ設定部１４に設定された一定時間周期で、表示部１６により視覚的に表示される。
【００１６】
図５は、本発明の他の実施の形態の照明制御システム２を示す照明制御装置２０のブロック図であり、この照明制御システム２は、照明制御装置２０の構成を除き、図１に示す照明制御システム１と同様のものであるので、照明制御装置２０以外の図示は省略する。
【００１７】
図５に示すように、照明制御装置２０は、通信ケーブルとの通信部２１と、モニタ範囲テーブル２２と、調光特性テーブル２３と、タイマ設定部２４と、実消費電力演算部２５と、仮想消費電力演算部２６と、表示部２７とを備えている。
【００１８】
モニタ範囲テーブル２２は、図３に示すモニタ範囲テーブル１２と同様に、複数の照明回路Ｌ１〜Ｌｎを１つずつまたは任意に組み合わせて構成される複数のモニタ範囲Ｍ１〜Ｍｍをテーブル化したものである。
【００１９】
調光特性テーブル２３は、図４に示す調光特性テーブル１３と同様に、各照明回路Ｌ１〜Ｌｎの調光の比率（明るさ）と消費電力量との関係をテーブル化したものである。そのため、数種類のテーブルが用意される。
【００２０】
タイマ設定部２４は、タイマ設定部１４と同様に、各照明回路Ｌ１〜Ｌｎの点滅（点灯と消灯）および調光状態を収集する時期を設定するものである。
【００２１】
実消費電力演算部２５は、まず、タイマ設定部２４に設定された時期に収集した各照明回路Ｌ１〜Ｌｎの点滅および調光の状態から、調光特性テーブル２３に基づいて各照明回路Ｌ１〜Ｌｎの実際の消費電力量を算出する。このとき、実消費電力演算部２５は必要な補完演算をして、調光の比率（明るさ）１％きざみで対応する消費電力量を算出する。つぎに、実消費電力演算部２５は、この各照明回路Ｌ１〜Ｌｎの実消費電力量から、モニタ範囲テーブル２２に基づいて各モニタ範囲Ｍ１〜Ｍｍの実消費電力量を演算するものである。
【００２２】
仮想消費電力演算部２６は、まず、タイマ設定部２４に設定された時期に収集した各照明回路Ｌ１〜Ｌｎの点滅および調光の状態から、調光状態にある各照明回路Ｌ１〜Ｌｎが点灯していると仮定した場合の仮の消費電力量を算出する。つぎに、仮想消費電力演算部２６は、この各照明回路Ｌ１〜Ｌｎの仮想消費電力量から、モニタ範囲テーブル２２に基づいて各モニタ範囲Ｍ１〜Ｍｍの仮想消費電力量を演算するものである。
【００２３】
表示部２７は、実消費電力演算部２５で演算した各モニタ範囲Ｍ１〜Ｍｍの実消費電力量と、仮想消費電力演算部２６で演算した各モニタ範囲Ｍ１〜Ｍｍの仮想消費電力量との差を表示するものである。
【００２４】
上記のように構成された照明制御システム２は、各照明回路Ｌ１〜Ｌｎによる実際の消費電力量と、調光状態にある各照明回路Ｌ１〜Ｌｎが点灯していると仮定した場合の仮の消費電力量との差が、モニタ範囲Ｍ１〜Ｍｍを単位として、タイマ設定部２４に設定された一定時間周期で、表示部２７により視覚的に表示される。
【００２５】
図６は、表示部２７による表示の一例を示し、図の網かけ部分が、実消費電力量と仮想消費電力量との差を表す。
【００２６】
【発明の効果】
請求項１記載の照明制御システムによれば、各照明回路による実際の消費電力量と、調光状態にある各照明回路が点灯していると仮定した場合の仮の消費電力量との差を、モニタ範囲を単位として、所定時に視覚的に表示することができる。そのため、いつ・どこで・どれくらいの電力消費をしているのかを明確に把握することができるうえ、点灯および消灯による点滅制御と、多段階の照度調整による調光制御とを的確に比較することができ、それにより、人が介在して行う照明に関する省電力化活動の根拠値として有効利用できるという効果がある。
【図面の簡単な説明】
【図１】本発明による照明制御システムの一実施の形態を示すブロック図である。
【図２】図１の照明制御システムの照明制御装置を示すブロック図である。
【図３】図２の照明制御装置のモニタ範囲テーブルを示す図である。
【図４】図２の照明制御装置の調光特性テーブルを示す図である。
【図５】本発明による照明制御システムの他の実施の形態の照明制御装置を示すブロック図である。
【図６】図５の照明制御装置の表示部による表示の一例を示す図である。
【符号の説明】
１，２  照明制御システム、５  照明主盤、１０，２０  照明制御装置、１１，２１  通信部、１２，２２  モニタ範囲テーブル、１３，２３  調光特性テーブル、１４，２４  タイマ設定部、１５  消費電力演算部、１６，２７  表示部、２５  実消費電力演算部、２６  仮想消費電力演算部、Ｌ１〜Ｌｎ  照明回路、Ｍ１〜Ｍｍ  モニタ範囲
【図１】
0004075372.tif 000002
【図２】
0004075372.tif 000003
【図３】
0004075372.tif 000004
【図４】
0004075372.tif 000005
【図５】
0004075372.tif 000006
【図６】
0004075372.tif 000007